(57)【要約】粘性物質、例えば溶融プラスチックから固体粒子を除去するためのスクリーン掛け装置であって、粘性物質のための供給チャネル及び吐出チャネルを備えるハウジングと、ハウジング内の供給チャネル及び吐出チャネルの間のスクリーン部材と、バックフラッシングによってスクリーン部材を洗浄する手段とを含み、この洗浄手段が、遮断弁によって流出チャネルに接続されると共にスクリーン部材によってスクリーン掛けされた個体粒子をバックフラッシング中に吐出するバックフラッシュチャネルと、粘性物質を供給チャネル内の圧力よりも高圧でスクリーン部材を通して逆流するように動作する圧力部材とを含み、シャッター部材がスクリーン部材に沿って配置され、スクリーニング工程中はスクリーン部材がスクリーン掛けするために徐々に露出され、バックフラッシング工程中はスクリーン部材がバックフラッシング動作に対して徐々に露出を小さくするように、シャッター部材をスクリーン部材に関して移動させる手段を備えたスクリーン掛け装置である。
2004507338.tif 000002
【特許請求の範囲】
【請求項１】
粘性物質、例えば溶融プラスチックから固体粒子を除去するためのスクリーン掛け装置であって、粘性物質のための供給チャネル及び吐出チャネルを備えるハウジングと、ハウジング内の供給チャネル及び吐出チャネルの間のスクリーン部材と、バックフラッシングによってスクリーン部材を洗浄する手段とを含み、この洗浄手段が、遮断弁によって流出チャネルに接続されると共にスクリーン部材によってスクリーン掛けされた個体粒子をバックフラッシング中に吐出するバックフラッシュチャネルと、粘性物質を供給チャネル内の圧力よりも高圧でスクリーン部材を通して逆流するように動作する圧力部材とを含むスクリーン掛け装置において、
シャッター部材がスクリーン部材に沿って配置され、スクリーニング工程中はスクリーン部材がスクリーン掛けするために徐々に露出され、バックフラッシング工程中はスクリーン部材がバックフラッシング動作に対して徐々に露出を小さくするように、シャッター部材をスクリーン部材に関して移動させる手段を備えたことを特徴とするスクリーン掛け装置。
【請求項２】
前記スクリーン部材はブッシュ形状を有し、前記シャッター部材はそれに対応する形状を有することを特徴とする請求項１に記載のスクリーン掛け装置。
【請求項３】
前記スクリーン部材及び前記シャッター部材は、円筒形状を有することを特徴とする請求項２に記載のスクリーン掛け装置。
【請求項４】
前記シャッター部材は、前記スクリーン部材の内部に配置され且つ圧力部材と共に動作するピストンによって形成されたことを特徴とする請求項２または３に記載のスクリーン掛け装置。
【請求項５】
多数のスクリーン部材及びシャッター部材が、ハウジング内に互いに平行に配置されることを特徴とする請求項１〜４のいずれか一項に記載のスクリーン掛け装置。
【請求項６】
前記スクリーン部材及び前記シャッター部材は、同心形状であることを特徴とする請求項２〜５のいずれか一項に記載のスクリーン掛け装置。
【請求項７】
前記スクリーン部材は、互いに連接すると共にそれぞれ多数のスクリーニング開口を有する２つの平行なスクリーンプレートからなり、前記スクリーン部材の前記スクリーニング開口の寸法は、一方のスクリーン平板を他方のスクリーン平板に関して調整することによって定められることを特徴とする請求項１〜６のいずれか一項に記載のスクリーン掛け装置。
【発明の詳細な説明】
【０００１】
【発明の属する技術分野】
この発明は、粘性物質、例えば溶融プラスチックから固体粒子を除去するスクリーン掛け装置であって、粘性物質のための供給チャネル及び吐出チャネルを備えるハウジングと、ハウジング内の供給チャネル及び吐出チャネルの間のスクリーン部材と、バックフラッシングによってスクリーン部材を洗浄する手段とを含み、この洗浄手段が、遮断弁によって流出チャネルに接続されると共にスクリーン部材によってスクリーン掛けされた個体粒子をバックフラッシング中に吐出するバックフラッシュチャネルと、粘性物質を供給チャネル内の圧力よりも高圧でスクリーン部材を通して逆流するように動作する圧力部材とを含む、スクリーン掛け装置に関する。
【０００２】
このようなスクリーン掛け装置は、国際公開第９８４７６８８号から既に公知である。
【０００３】
この公知の装置において、バックフラッシングは、スクリーン部材の裏側で物質の圧力を高める外圧媒介物によって得られるが、同時にスクリーン部材の上流端部に位置する吐出弁が開き、それによって液体がスクリーン部材を通して流れてその液体に含まれる固体粒子が除去される。
【０００４】
この公知の装置は多数の欠点を有する。まず第一に、スクリーニング段階中にスクリーン部材が徐々に固体粒子で満たされるため、スクリーン部材上の圧力降下が徐々に大きくなる。また、バックフラッシング段階中にもスクリーン部材の位置に依存して圧力差がスクリーン部材に沿って生じるため、スクリーン部材を洗浄すると均一性を欠いてしまう。このため、スクリーン部材の寸法を制限しなければならない。さらに、国際公開第９８４７６８８号に開示されているリングの使用もまた、スクリーン部材の径を制限することとなる。
【０００５】
この発明の目的は、このような欠点が回避された上記タイプのスクリーン掛け装置を提供することである。
【０００６】
この目的は、シャッター部材がスクリーン部材に沿って配置され、スクリーニング工程中はスクリーン部材がスクリーン掛けするために徐々に露出され、バックフラッシング工程中はスクリーン部材がバックフラッシング動作に対して徐々に露出を小さくするように、シャッター部材をスクリーン部材に関して移動させる手段が備わることで得られる。
【０００７】
シャッター部材によって、スクリーン動作中及びバックフラッシング動作中の両方でスクリーン部材が徐々に使用されることが可能になり、それによってスクリーン部材上の圧力差が一定のレベルで維持されて、スクリーン動作及びバックフラッシング動作の効率を改善することができる。
【０００８】
この発明の他の特徴及び欠点は、以下の説明から、及び添付の図面を参照して、明らかになるであろう。
【０００９】
図１に示されるように、この発明に従ったスクリーン掛け装置は、その全長にわたって延在する円筒形のチャンバ２を有するハウジング７を備えている。円筒形のチャンバ２の一端部は、後述するピストンロッド１６を案内するための円筒形の開口１５が形成されたプレート１１によって覆われている。円筒形の開口１５は、圧力流体８で充填された圧力チャンバ９により覆われている。圧力チャンバ９は制御システム（図示せず）に連結され、この制御システムによってピストンロッド１６の移動を制御するように圧力流体８の圧力が制御される。
【００１０】
円筒形のチャンバ２の他端部は、ピストンロッド１９を案内する円筒形の開口１８が形成されたカバー１７によって閉じられる。円筒形の開口１５及び１８は共に円筒形のチャンバ２と同軸であり、したがって円筒形の開口１５及び１８は一直線上に並んでおり、円筒形のチャンバ２内で移動可能なピストン３の両面に対向している。
【００１１】
円筒形のチャンバ２は二つの部分からなり、第１の部分２０はピストン３の断面にほぼ一致する断面を有し、第２の部分２１はピストン３の断面よりわずかに大きい径を有している。第２の部分２１には、一般的な円筒のブッシュ形状を有し且つその内径がピストン３の径にほぼ一致して円筒形のチャンバ４の第１の部分２０の内壁と整合するフィルタスクリーン１０が固定されている。
【００１２】
スクリーン１０の構造自体は、国際公開第９８４７６８８号に開示されているスクリーンと同一とすることもできるが、他の構造のスクリーン、例えば、孔を開けたスクリーンも使用することができる。ハウジング７及びフィルタスクリーン１０は、スクリーン１０の周囲にブッシュ形状の円筒形の空間２３を形成している。ハウジング７を貫通してチャネル６が延び、このチャネル６に弁１２が備えられている。さらに、チャネル６は、スクリーン１０によって捕捉されてバックフラッシング段階中に除去される固体粒子を回収するコレクタ（図示せず）に接続されている。
【００１３】
図１に示されるように、カバー１７は複雑な形状を有し、ピストンロッド１９を案内する開口１８が形成された中央部分２７を有している。カバー１７はさらに中間部分２８と外リング形状部分２９とを備えている。中間部分２８及び外リング形状部分２９は、ブッシュ形状の空間２３に固体粒子を除去すべき粘性物質を供給するチャネル２４が形成されるような形状を有している。また、これらの部分２７、２８、及び２９はハウジング７と共に、空間４をスクリーンされた物質のためのコレクタその他の装置（図示せず）に接続させるチャネル５を形成している。このチャネル５には弁１３が備えられている。
【００１４】
この装置の動作は以下の通りである。
【００１５】
ピストンが図２に示される位置にあり、スクリーン部材がきれいであるとする。固体粒子を含む粘性物質がチャネル２４を通してブッシュ形状の空間２３へ供給される。弁１２は閉じられており、粘性物質がスクリーン１０の露出部分を通して押し出され、浄化された物質はチャネル５を通して吐出されて、容器にあるいはこの物質をさらに処理するための装置に供給される。
【００１６】
スクリーン１０によって生じる流れ抵抗の結果、空間２３及び２１の間に圧力差が生じる。固体粒子がスクリーン１０によって捕捉されるにつれて、使用可能なスクリーン面が減少するために、この圧力差は増加する。この圧力差を測定することにより図２においてピストン３を右方へ移動させてより多くのスクリーン面を物質の流れに露出させるような制御システムを有することができる。このようにして、圧力降下が補償され、粘性物質の出口圧力はほぼ一定のレベルに維持される。このことは、スクリーン掛け装置が後段の処理装置と共に動作する場合に重要となる。
【００１７】
所定時間が経過すると、ピストンは図３に示される位置に到達する。この状況においては、露出されるスクリーン面を増加するためにピストンをさらに移動して、スクリーン１０のさらなる閉塞と同時に生じる空間２及び空間４の間の圧力差の増加をこれ以上補償することができない。この時点で、スクリーニング段階は停止されることになる。
【００１８】
スクリーンを洗浄するために、バックフラッシングが適用される。これは、弁１３によってチャネル５を閉じると共にチャネル６内の弁１２を開けることにより得られる。チャンバ９内の圧力を増加させることにより、図３においてピストン３が左方へ移動し、空間４内の圧力が空間２３内の圧力よりも高くなる。浄化された物質は、スクリーン１０を通して空間４から空間２３へ押し出され、それによってスクリーン１０の固体粒子がスクリーン１０から除去されてチャネル６を通して放出される。
【００１９】
図３において、ピストン３が左方へ移動する際に、スクリーン面の一部分が覆われ、この部分の大きさは徐々に増してくる。このようにして、比較的高圧であることが必要な洗浄圧力が、スクリーン１０の全長にわたって維持され得る。
【００２０】
ピストン３が図２に示される位置まで到達すると、弁１２が閉じられると共に弁１３は開かれ、スクリーニング工程を再び開始することができる。
【図面の簡単な説明】
【図１】この発明に係るスクリーン掛け装置の概略断面図である。
【図２】スクリーニング工程の開始時の位置における図１に対応する断面図である。
【図３】バックフラッシング工程の開始時の位置における図１に対応する断面図である。
【国際公開パンフレット】
2004507338.tif 000003
2004507338.tif 000004
2004507338.tif 000005
2004507338.tif 000006
2004507338.tif 000007
2004507338.tif 000008
2004507338.tif 000009
2004507338.tif 000010
2004507338.tif 000011
2004507338.tif 000012
2004507338.tif 000013
【国際調査報告】
2004507338.tif 000014
2004507338.tif 000015
2004507338.tif 000016